(57)【要約】【課題】尿の吸収性がよく、べたつき感が改良され、サラッとした感じを保持でき、静電気の帯電が少なく、洗濯後短時間で乾燥でき洗濯による強度低下も少なく、洗濯して繰り返し使用しても臭いが残りにくいおむつ用織物それを用いた交換が容易なおむつを提供する。【解決手段】織物の表側に主として現れるヨコ糸Ａ、Ｃ、Ｅ、Ｇ…がポリエステル繊維と綿繊維の混合繊維糸からなり、織物の裏側に主として現れるヨコ糸Ｂ、Ｄ、Ｆ、Ｈ…が疎水性合成繊維糸からなり、タテ糸ａ、ｂ、ｃ、ｄ、ｅ、ｆ、ｇ、ｈ…が疎水性合成繊維糸からなる二重織物又は三重織物であって、表側に主としてタテ方向に沿った凸条畝１０が形成されているおむつ用二重又は三重織物。【選択図】　図２
2004084129.tif 000002
【特許請求の範囲】
【請求項１】
織物の表側に主として現れるヨコ糸がポリエステル繊維と綿繊維の混合繊維糸からなり、織物の裏側に主として現れるヨコ糸が疎水性合成繊維糸からなり、タテ糸が疎水性合成繊維糸からなる二重織物又は三重織物であって、表側に主としてタテ方向に沿った凸条畝が形成されているおむつ用二重又は三重織物。
【請求項２】
織物の表側並びに裏側に主として現れるそれぞれのヨコ糸が、織物の表側並びに裏側にそれぞれのヨコ糸がそれぞれ多く浮いたヨコ朱子織状の組織からなる請求項１に記載のおむつ用二重又は三重織物。
【請求項３】
織物の表側に主として現れるヨコ糸がポリエステル短繊維と綿繊維の混紡糸からなる請求項１又は２のいずれかに記載のおむつ用二重又は三重織物。
【請求項４】
織物の裏側に主として現れるヨコ糸がポリエステル繊維糸又はナイロン繊維糸から選ばれた合成繊維糸からなり、タテ糸がポリエステル繊維糸又はナイロン繊維糸から選ばれた合成繊維糸からなる請求項１〜３のいずれかに記載のおむつ用二重又は三重織物。
【請求項５】
織物の表側面の組織と裏側面の組織が部分的にタテ糸で接結されている請求項１〜４のいずれかに記載のおむつ用二重又は三重織物。
【請求項６】
織物の表側面の組織と裏側面の組織の接結部が、裏側のタテ糸を表側のヨコ糸に接結している接結部からなる請求項５に記載のおむつ用二重又は三重織物。
【請求項７】
タテ糸及び／又は織物の裏側に主として現れるヨコ糸がマイクロファイバーからなる糸からなる請求項１〜６のいずれかに記載のおむつ用二重又は三重織物。
【請求項８】
タテ糸がテクスチャード加工糸からなる請求項１〜７のいずれかに記載のおむつ用二重又は三重織物。
【請求項９】
請求項１〜８のいずれかに記載のおむつ用二重又は三重織物を用いたおむつであって、広幅の前記おむつ用二重又は三重織物生地（ａ）の表側上に、それより細幅で且つ長さも短い前記おむつ用二重又は三重織物生地（ｂ）の裏側が接するように、また、それぞれの生地の長手方向がほぼ同方向になるように、且つ生地（ｂ）が、生地（ａ）の面領域内に入るように積層固着してなるおむつ。
【請求項１０】
生地（ａ）、（ｂ）の表側に形成されている主として織物タテ方向に沿った凸条畝の向きが、おむつの長さ方向になるように配置してなる請求項９に記載のおむつ。
【発明の詳細な説明】
【０００１】
【発明の属する技術分野】
本発明は、おむつ用二重又は三重織物及びそれを用いたおむつに関する。
【０００２】
特に、尿の吸収性がよく、しかも、べたつき感の改良された布おむつに関する
【０００３】
【従来の技術】
従来、布おむつとしては、綿布が最も多く用いられてきている。近年、幼児だけでなく成人も介護の必要な老人など、おむつが必要とされる場合も増加してきている。綿１００％の布からなるおむつは、排尿後、綿布に吸収された尿が綿布表面に戻りやすく、ベタツキ感があり、着用者に不快感を生じさせる。また、綿布は、洗濯により強度劣化しやすい等の問題がある。
【０００４】
そこで、近年、ポリエステル繊維糸等、疎水性の合成繊維糸の布からなるおむつが用いられている。
【０００５】
【発明が解決しようとする課題】
ポリエステル繊維糸の様な疎水性の合成繊維糸の布からなるおむつは、ベタツキ感が改良されるが、洗濯して乾燥すると、静電気の帯電が強く、肌に触れるときに放電し、極めて不快であったり、また、洗濯しても、疎水性の合成繊維糸からなるおむつは、臭いが残ると言う問題がある。尚、疎水性の合成繊維とは、ポリエステル繊維、ナイロン繊維などの如く、羊毛、絹、麻はもとより、綿（公定水分率８．５％）よりもＪＩＳで規定の公定水分率がより小さい合成繊維を本発明では疎水性の合成繊維と称しており、通常のポリエチレンテレフタレートなどのポリエステル繊維（公定水分率０．４％）や、ナイロン６、ナイロン６６等のナイロン繊維（公定水分率４．５％）などの汎用されている合成繊維が含まれるので、以下、特に断らない限り、単に、合成繊維と略称する。
【０００６】
また、図９に従来の、綿布、あるいは合成繊維糸の布からなるおむつを使用する場合の着用直前のおむつ用の布のセット状態の平面図を示したが、縦長の布２０１は、お尻背部から股下を通し腹部側に曲げてあてがう布で、通常、２枚重ねにして用いられる。横長の布２０２は、前記縦長の布２０１と同じものを向きを変えて用いたもので腹部を巻いて前記縦長の布２０１を押さえ、漏れを防ぐなどのために通常１枚用いられ、合計３枚がおむつとして用いられる。被着用者には、かかるおむつをした上に、おむつカバー（図示せず）をするのが、通常の着用方法である。尚、前記縦長の布２０１や横長の布２０２の幅は通常３２〜３６ｃｍ程度のものが用いられている。
【０００７】
しかし、前述したように、綿１００％（特に断らない限り、以下、％は重量％を意味する）の布からなるおむつは、排尿後、綿布に吸収された尿が綿布表面に戻りやすく、ベタツキ感があり、着用者に不快感を生じさせる。また、綿布は、洗濯により強度劣化しやすい、乾燥時間が長くかかる等の問題があり、また、ポリエステル繊維糸の様な合成繊維糸の布からなるおむつは、洗濯して乾燥すると、極めて静電気が帯電しやすく、特に乾燥機から取り出す時や、たたむ時などに放電し、極めて不快であったり、また、洗濯しても、合成繊維糸からなるおむつは、臭いが残ると言う問題がある。また、従来のおむつは、図９を用いて上記で説明したような使用の仕方をするので、体重の重い成人に対しおむつの交換をする場合には、かなり力と手間がかかり、おむつの交換が楽にできにくい等の問題もある。
【０００８】
本発明は、上述のような、従来のおむつ用織物並びにそれを用いた従来のおむつの問題点を解決し、尿の吸収性がよく、しかも、べたつき感が改良され、排尿後においてもサラッとした感じを保持でき、静電気の帯電が少なく、洗濯後短時間で乾燥でき洗濯による強度低下も少なく、洗濯して繰り返し使用しても臭いが残りにくいおむつ用織物、並びに上記機能を有し、且つ、比較的おむつの交換が容易な前記おむつ用織物を用いたおむつを提供せんとするものである。
【０００９】
【課題を解決するための手段】
前記課題を解決するため、本発明のおむつ用織物は、織物の表側に主として現れるヨコ糸がポリエステル繊維と綿繊維の混合繊維糸からなり、織物の裏側に主として現れるヨコ糸が疎水性合成繊維糸からなり、タテ糸が疎水性合成繊維糸からなる二重織物又は三重織物であって、表側に主としてタテ方向に沿った凸条畝が形成されているおむつ用二重又は三重織物からなる。
【００１０】
また本発明のおむつは、上記記載のおむつ用二重又は三重織物を用いたおむつであって、広幅の前記おむつ用二重又は三重織物生地（ａ）の表側上に、それより細幅で且つ長さも短い前記おむつ用二重又は三重織物生地（ｂ）の裏側が接するように、また、それぞれの生地の長手方向がほぼ同方向になるように、且つ生地（ｂ）が、生地（ａ）の面領域内に入るように積層固着してなるおむつからなる。
【００１１】
【発明の実施の形態】
（１）本発明のおむつ用織物は、織物の表側（通常こちらがおむつに使用する場合の、着用者の肌側になる）に主として現れるヨコ糸がポリエステル繊維と綿繊維の混合繊維糸からなり織物の裏側に主として現れるヨコ糸が合成繊維糸からなり、タテ糸も合成繊維糸からなる二重織物又は三重織物となっているので、綿１００％のおむつに比べて、洗濯による強度劣化が少ないし、また、乾燥時間も少なくて済む。特に、老人介護施設などでは、大量のおむつの洗濯、乾燥が必要となり、例えば業務用乾燥機で乾燥する場合に、綿１００％のおむつの場合、１０ｋｇで約４０〜６０分の乾燥時間が必要であるが、本発明のおむつ用織物を用いたおむつの場合にはその１／２〜１／３の乾燥時間で済み、電力コスト、時間の節約になる。そして、尿を良好に吸収することができる。また織物の裏側に主として現れるヨコ糸が合成繊維糸からなり、タテ糸も合成繊維糸からなる二重織物又は三重織物となっているので、保水性がよく、排尿した場合に、ベタツキ感が軽減され、サラッとした着用感の優れたおむつ用織物が提供できる。しかも、織物の表側に主としてタテ方向に沿った凸条畝が形成されているので、上記のベタツキ感の軽減効果がより一層発揮されやすい。
【００１２】
織物の表側に主としてタテ方向に沿った凸条畝が形成されるのは、織物の表側に主として現れるヨコ糸がポリエステル繊維と綿繊維の混合繊維糸からなり、織物の裏側に主として現れるヨコ糸が合成繊維糸からなり、表側のヨコ糸の熱による収縮率が、合成繊維１００％の裏側に主として現れるヨコ糸の熱収縮率より綿繊維が入っているので小さくなる。よって、得られた二重織物又は三重織物を、加熱水流処理などの通常行われる後処理仕上げ工程などにおいて、織物裏側の方が、表側に比べ、ヨコ方向により多く収縮する。従って、収縮の少ない表側はヨコ方向に無理に縮められるので、織物の表側に主としてタテ方向に沿った凸条畝が形成されることになる。
【００１３】
また、合成繊維１００％のおむつに比べて洗濯して乾燥した場合の静電気の帯電が少なく、特に乾燥機から取り出す時や、たたむ時などに放電し、極めて不快な感じを及ぼす問題を軽減することができる。また、洗濯して繰り返し使用しても臭いが残りにくいおむつ用織物を提供できる。
【００１４】
（２）また、前記本発明のおむつ用二重又は三重織物においては、織物の表側並びに裏側に主として現れるそれぞれのヨコ糸が、織物の表側並びに裏側にそれぞれのヨコ糸がそれぞれ多く浮いたヨコ朱子織状の組織からなることが好ましい。織物の表側並びに裏側面をヨコ朱子織状の組織とすることにより、二重又は三重織物であっても比較的しなやかな風合いを有し、肌触りが良好で好ましい。
【００１５】
（３）また、前記本発明のおむつ用二重又は三重織物においては、織物の表側に主として現れるヨコ糸がポリエステル短繊維と綿繊維の混紡糸からなることが好ましい。混紡糸は比較的コストが安い割に、丈夫で、肌触りもよく、おむつ用の表側の素材として好ましい。
【００１６】
（４）また、前記本発明のおむつ用二重又は三重織物においては、織物の裏側に主として現れるヨコ糸がポリエステル繊維糸又はナイロン繊維糸から選ばれた合成繊維糸からなり、タテ糸がポリエステル繊維糸又はナイロン繊維糸から選ばれた合成繊維糸からなることが好ましい。
【００１７】
これらの合成繊維は、コストが安く、強度も大きく、洗濯後の乾燥時間も短く特に、老人介護施設などでは、大量のおむつの洗濯、乾燥が必要となり、例えば業務用乾燥機で乾燥する場合に、綿１００％のおむつの場合、１０ｋｇで約４０〜６０分の乾燥時間が必要であるが、本発明のおむつ用織物を用いたおむつの場合にはその１／２〜１／３の乾燥時間で済み、電力コスト、時間の節約になる。また、排尿した場合に、ベタツキ感も少なく、サラッとした着用感の優れたおむつ用織物が提供でき好ましい。特にポリエステル繊維糸がより好ましい。
【００１８】
（５）また、前記本発明のおむつ用二重又は三重織物においては、織物の表側面の組織と裏側面の組織が部分的にタテ糸で接結されていることが好ましい。
【００１９】
織物の表側面の組織と裏側面の組織が部分的に接結されていることにより、二重又は三重織物でありながら風合いを比較的柔らかく保つことができ、しかも二重又は三重織物としての強度を保持でき、おむつ用に好適な素材を提供できる。そしてヨコ糸は、通常、風合いを保つためタテ糸に比べて張力が比較的弱めになっており、タテ糸の方が張力が大きいので、タテ糸を接結に用いる方が、ヨコ糸を接結に用いる場合より、しっかりした接結をすることができ好ましい。
【００２０】
（６）また、前記本発明のおむつ用二重又は三重織物においては、織物の表側面の組織と裏側面の組織の接結部が、裏側のタテ糸を表側のヨコ糸に接結している接結部からなることが好ましい。
【００２１】
裏側のタテ糸を表側のヨコ糸に接結している方が、表側のタテ糸に比べて比較的拘束力が強めに拘束されている裏側のタテ糸を引き上げて接結することになり、引き上げにより当該タテ糸が引き締められ、当該タテ糸に、より張力がかかることになるので、通常、比較的拘束力がゆるめに拘束されている表側のタテ糸を裏側のヨコ糸に接結する場合に比べ、よりしっかりした接結をすることができ好ましい。
【００２２】
（７）また、前記本発明のおむつ用二重又は三重織物においては、タテ糸及び／又は織物の裏側に主として現れるヨコ糸がマイクロファイバーからなる糸からなることが好ましい。
【００２３】
タテ糸及び／又は織物の裏側に主として現れるヨコ糸をマイクロファイバーからなる糸とすることにより、毛細管現象で保水性がより向上し、排尿した場合に、ベタツキ感が一層軽減され、しかも、二重又は三重織物でありながらより一層柔らかい風合いを発揮でき、おむつとしての着用感が良好な織物とすることができ好ましい。
【００２４】
（８）また、前記本発明のおむつ用二重又は三重織物においては、タテ糸がテクスチャード加工糸からなることが好ましい。
【００２５】
タテ糸にテクスチャード加工糸を用いることにより、織物の縦方向（タテ糸方向）に伸縮性を持たせることができ、着用感の良好なおむつとすることができるとともに、織物の縦方向をおむつの長さ方向になるように用いると、おむつを着用した場合に太ももにフィットし漏れが防止しやすくなるとともに、着用した状態で歩きやすいおむつとすることができるおむつ用二重又は三重織物を提供でき好ましい。
【００２６】
（９）また、前記のいずれかに記載の本発明のおむつ用二重又は三重織物を用いた前述した本発明のおむつにおいては、尿の吸収性がよく、しかも、べたつき感が改良され、排尿後においてもサラッとした感じを保持でき、静電気の帯電が少なく、洗濯後短時間で乾燥でき洗濯による強度低下も少なく、洗濯して繰り返し使用しても臭いが残りにくいおむつを提供できる。また、本発明のおむつは、広幅の前記おむつ用二重又は三重織物生地（ａ）の表側上に、それより細幅で且つ長さも短い前記おむつ用二重又は三重織物生地（ｂ）の裏側が接するように、また、それぞれの生地の長手方向がほぼ同方向になるように、且つ生地（ｂ）が、生地（ａ）の面領域内に入るように積層固着された構造を有するので、細幅で且つ長さも短い前記おむつ用二重又は三重織物生地（ｂ）とその裏をカバーする生地（ａ）で、従来のおむつのお尻背部から股下を通し腹部側に曲げてあてがう布（図９の２０１で示される縦長の布）の主として尿を吸収保持する主要部の役割が発揮され、それより幅の広い前記おむつ用二重又は三重織物生地（ａ）が生地（ｂ）の周囲の外側をカバーしているので、臀部と腹部を確実にカバーし、また、太ももの周りにフィットし、漏れをよりしっかりと防止でき、しかも生地（ａ）と（ｂ）が積層固着された構造を有するので、比較的おむつの交換が容易なおむつを提供できる。
【００２７】
（１０）また、前記本発明のおむつにおいては、生地（ａ）、（ｂ）の表側に形成されている主として織物タテ方向に沿った凸条畝の向きが、おむつの長さ方向になるように配置されていることが好ましい。かかる態様とすることにより太ももの周りにフィットし、漏れをよりしっかりと防止でき好ましい。特に織物の縦方向（タテ糸方向）に伸縮性を持たせた場合に、おむつを着用した場合に太ももにフィットし漏れが防止しやすくなるとともに、着用した状態で歩きやすいおむつとすることができ好ましい。
【００２８】
本発明の前記おむつ用二重織物又は三重織物、またこれを用いたおむつにおいて、織物の表側に主として現れるヨコ糸はポリエステル繊維と綿繊維の混合繊維糸からなることが必要であり、ポリエステル繊維のみからなる糸から構成すると、意外にも、洗濯して繰り返し使用した場合に臭いが残りやすくなり好ましくない。また、排尿時の初期吸収性の点でも、ポリエステル繊維と綿繊維の混合繊維糸を用いることが好ましい。また、綿のみからなる糸で構成した場合には、排尿した場合に、ベタツキ感が軽減されず、サラッとした着用感の優れたおむつとすることができない。
【００２９】
ポリエステル繊維と綿繊維の混合繊維糸としては、ポリエステル短繊維と綿繊維の混紡糸、ポリエステル長繊維（フィラメント）糸と綿繊維糸の交撚糸などが用いられる。混紡糸は比較的コストが安い割に、丈夫で、肌触りもよく好ましい。ポリエステル繊維と綿繊維の混合比率は、ポリエステル繊維５０〜７５重量％、綿繊維５０〜２５重量％の範囲が好ましい。なお、後述する具体的実施例においては、ポリエステル繊維６５重量％、綿繊維３５重量％の混紡糸を用いた。
【００３０】
織物の表側に主として現れるポリエステル繊維と綿繊維の混合繊維糸からなるヨコ糸の太さは、特に限定するものではないが、通常、６４番手〜４番手の範囲から選択して用いることが好ましい。
【００３１】
また織物の裏側に主として現れる合成繊維糸からなるヨコ糸や、合成繊維糸からなるタテ糸としては、汎用の合成繊維からなる糸を用いることができ、具体的には、通常のポリエチレンテレフタレートなどのポリエステル繊維や、ナイロン６、ナイロン６６等のナイロン繊維などが好適に用いられる。綿（公定水分率８．５％）よりもＪＩＳで規定の公定水分率がより小さい合成繊維を用いる必要があり、好ましくは、ＪＩＳで規定の公定水分率が６％以下、より好ましくは５％以下の合成繊維が用いられ、疎水性と強度、感触などから特にポリエステル繊維糸が好ましい。
【００３２】
織物の裏側に主として現れる合成繊維糸からなるヨコ糸の太さは、特に限定するものではないが、通常、１１５．５〜９９０ｄｔｅｘ（１０５〜９００デニール）の範囲から選択して用いることが好ましい。また合成繊維糸からなるタテ糸の太さも、特に限定するものではないが、通常、８２．５〜３３０ｄｔｅｘ（７５〜３００デニール）の範囲から選択して用いることが好ましい。
【００３３】
そしてこれらの合成繊維糸からなるタテ糸や織物の裏側に主として現れる合成繊維糸からなるヨコ糸は、細い繊維であるマイクロファイバーからなる糸を用いることが、毛細管現象で保水性がより向上し、排尿した場合に、ベタツキ感が一層軽減され、しかも、二重又は三重織物でありながらより一層柔らかい風合いを発揮でき、おむつとしての着用感が良好な織物とすることができるので好ましい。
【００３４】
マイクロファイバーとしては、通常、０．６６ｄｔｅｘ（０．６デニール）以下の太さのもの、より好ましくは、０．１１〜０．６６ｄｔｅｘ（０．１〜０．６デニール）のものが好ましく用いられるが、これに限定されるものではない。
【００３５】
タテ糸としては、生糸、テクスチャード加工糸などいずれを用いてもよいが、仮撚糸、各種捲縮加工糸などのテクスチャード加工糸を用いることが、織物の縦方向（タテ糸方向）に伸縮性を持たせることができ、着用感の良好なおむつとすることができるとともに、織物の縦方向をおむつの長さ方向になるように用いると、おむつ縦方向に伸縮性があるので、おむつを着用した場合に太ももにフィットし漏れが防止しやすくなるとともに、着用状態で身体の動きに追従しやすく、着用した状態で歩きやすいおむつとすることができるおむつ用二重又は三重織物を提供でき好ましい。
【００３６】
なお、三重織物とする場合には、特に限定するものではないが、通常、織物の表側並びに裏側は、前記二重織物とほぼ同様な組織に形成されるが、三重織物においては、織物の表側並びに裏側に主として現れるヨコ糸のほかに、織物の表側と裏側の間に配置されるヨコ糸が存在し、一般に、この中間のヨコ糸は一部を除いてあまりタテ糸と交叉せずに織物の表側と裏側の間の中間部は実質上ヨコ糸から構成されており、結接部がある場合に、その部分で中間部のヨコ糸と結接部のタテ糸が交叉するのが一般的である。この中間層は、あまりタテ糸と交叉せずに実質上ヨコ糸から構成されていても、織物の表側と裏側が、タテ糸とヨコ糸とからなる織組織からなっており、強度的に問題はない。この中間層は保水層としての機能を増強する機能を有することになるが、機能を特にこれに限定するものではない。
【００３７】
本発明のおむつ用二重又は三重織物は、平二重織物、平三重織物などの織物の表側面並びに裏側面の組織が平織状の組織のものでもよいが、織物の表側並びに裏側に主として現れるそれぞれのヨコ糸が、織物の表側並びに裏側にそれぞれのヨコ糸がそれぞれ多く浮いたヨコ朱子織状の組織からなることが風合いが柔らかく、好ましい。
【００３８】
そして織物の表側面の組織と裏側面の組織を部分的に接結するためタテ糸が部分的に表側面の組織と裏側面の組織を接結している。特に限定するものではないが、この場合織物の表側面の組織と裏側面の組織の接結部が、裏側のタテ糸を表側のヨコ糸に接結していることが好ましい。
【００３９】
以下、本発明の理解を容易にするために、本発明の一実施の形態例について、図面を引用しながら説明するが、本発明はこれらの実施の形態例のみに限定されるものではない。
【００４０】
図１は、本発明のおむつ用二重織物の一実施の形態の織組織を示す組織図、図２は、図１の組織図をタテ糸、ヨコ糸の浮き沈みがより容易に目視できるように描いた組織図である。図１、図２において、大文字のアルファベットＡ、Ｂ、Ｃ、Ｄ、Ｅ・・・・・・がヨコ糸、小文字のアルファベットａ、ｂ、ｃ、ｄ、ｅ・・・・・・がタテ糸をそれぞれ示している。
【００４１】
図１、図２で示した二重織物の組織では、織物の表側並びに裏側の織組織は、それぞれ４枚朱子織状の組織［この４枚朱子織状の組織は、トルコ朱子織状とか、ｂｒｏｋｅｎ　ｔｗｉｌｌ状（破れ斜文織状）とも表現されることがある］からなり、従って、表側および裏側をあわせて、組織図上ではヨコ糸８本、タテ糸８本で１繰り返し単位（これを一完全と言う）となっている。すなわちヨコ糸Ａ〜Ｈの８本とタテ糸ａ〜ｈの８本で１繰り返し単位となっており、それぞれの１繰り返し単位を矢印１、２で示した。他の図においても矢印１、２は、これらの１繰り返し単位を示している。またヨコ糸は、Ａ、Ｃ、Ｅ、Ｇ・・・・・・など一つ置きの奇数番目のヨコ糸は、ポリエステル繊維と綿繊維の混合繊維糸からなり、織物の表側に主として現れるヨコ糸であり、Ｂ、Ｄ、Ｆ、Ｈ・・・・・・など一つ置きの偶数番目のヨコ糸は、合成繊維糸からなり、織物の裏側に主として現れるヨコ糸である。またタテ糸は、ａ、ｃ、ｅ、ｇ・・・・・・など一つ置きの奇数番目の合成繊維糸からなるタテ糸は、主として織物の表側方向に寄ったタテ糸（表側のタテ糸）であり、ｂ、ｄ、ｆ、ｈ・・・・・・など一つ置きの偶数番目の合成繊維糸からなるタテ糸は、主として織物の裏側方向に寄ったタテ糸（裏側のタテ糸）となる。
【００４２】
例えば織物の表側に主として現れるヨコ糸であるＣのヨコ糸を例にとって観察すると、タテ糸ａ、ｂの上を通り、タテ糸ｃの下を通り、タテ糸ｄ〜ｈの上を通り（ここまでが一繰り返し単位）、更にタテ糸ｉ、ｊの上を通り、タテ糸ｋの下を通って再びタテ糸ｌ〜ｐ（これより右側は図示していない）・・・の上を通っている。ヨコ糸Ｃは、このようにタテ糸ｄ〜ｊの間はタテ糸７本分の上を通り表側に多く浮いた組織となる。同様にヨコ糸Ｅは、タテ糸ｈ〜ｎの間はタテ糸７本分の上を通り表側に多く浮いた組織、ヨコ糸Ｇは、タテ糸ｆ〜ｌの間はタテ糸７本分の上を通り表側に多く浮いた組織となっている。
【００４３】
一方、織物の裏側に主として現れるヨコ糸であるＢのヨコ糸を例にとって観察すると、タテ糸ａの下を通り、タテ糸ｂの上を通り、タテ糸ｃ〜ｈの下を通り（ここまでが一繰り返し単位）、更に続けてタテ糸ｉの下を通を通って、タテ糸ｊの上を通り、再びタテ糸ｋ〜ｐ（これより右側は図示していない）・・・の下を通っている。ヨコ糸Ｂは、このようにタテ糸ｃ〜ｉの間はタテ糸７本分の下を通り裏側に多く浮いた組織となる。同様にヨコ糸Ｄは、タテ糸ｅ〜ｋの間はタテ糸７本分の下を通り裏側に多く浮いた組織、ヨコ糸Ｆは、タテ糸ｉ〜０の間はタテ糸７本分の下を通り裏側に多く浮いた組織となっている。
【００４４】
なお、図２中に点線の丸で囲んだ、組織図におけるヨコ糸Ａにおいてタテ糸ｂ，ｊとの交点、あるいはヨコ糸Ｉにおいてタテ糸ｂ，ｊとの交点が、この二重織物の表側面の組織と裏側面の組織の接結部分であり、この二重織物においては、織物の裏側のタテ糸であるｂ、ｊなどが表側のヨコ糸に接結している態様の接結部である。かかる接結部も、タテ糸、ヨコ糸それぞれ８本置きの間隔で規則的に現れる。
【００４５】
また、断面が理解できるように、図３に上記二重織物のヨコ方向の断面の端面図をヨコ糸ごとに示した。図３の見方は、大文字のアルファベットＡ、Ｂ、Ｃ、Ｄ、Ｅ・・・・・・は、図１、２のヨコ糸Ａ、Ｂ、Ｃ、Ｄ、Ｅ・・・・・・に相当するヨコ糸であり、小文字のアルファベットａ、ｂ、ｃ、ｄ、ｅ・・・・・・は、図１、２のタテ糸ａ、ｂ、ｃ、ｄ、ｅ・・・・・・に相当するタテ糸を示している。（以下、図４〜図６においても符号は同様である。）
そして、図３（イ）は、図１、２のヨコ糸Ａ方向に沿った部分の断面の端面図であり、以下、図３（ロ）〜（チ）は、それぞれ図１、２のそれぞれヨコ糸Ｂ〜ヨコ糸Ｈ方向に沿った部分の断面の端面図を示している。それぞれの構造の説明は、図１、図２の説明と同様であり、重複するので、一例を取り上げて説明すると、例えば図３（ハ）においては、織物の表側に主として現れるヨコ糸であるＣのヨコ糸はタテ糸ａ、ｂの上を通り、タテ糸ｃの下を通り、タテ糸ｄ〜ｈの上を通り（ここまでが一繰り返し単位）、更にタテ糸ｉ、ｊの上を通り、タテ糸ｋの下を通って再びタテ糸ｌ〜ｒ（これより右側は図示していない）・・・の上を通っている。ヨコ糸Ｃは、このようにタテ糸ｄ〜ｊの間はタテ糸７本分の上を通り表側に多く浮いた組織となる。一方、織物の裏側に主として現れるヨコ糸であるＢのヨコ糸を例にとって観察すると、タテ糸ａの下を通り、タテ糸ｂの上を通り、タテ糸ｃ〜ｈの下を通り（ここまでが一繰り返し単位）、更に続けてタテ糸ｉの下を通を通って、タテ糸ｊの上を通り、再びタテ糸ｋ〜ｑの下を通り、再びタテ糸ｒ（これより右側図示していない）の上を通っている。ヨコ糸Ｂは、このようにタテ糸ｃ〜ｉやｋ〜ｑの間はそれぞれタテ糸７本分の下を通り裏側に多く浮いた組織となる。また、前述したように、例えば図３（イ）においては、ヨコ糸Ａにおいてタテ糸ｂ，ｊとの交点が、この二重織物の表側面の組織と裏側面の組織の接結部分であり、この二重織物においては、織物の裏側のタテ糸であるｂ、ｊが表側のヨコ糸Ａの表側に出て表側面の組織と裏側面の組織を接結している態様の接結部となっている。同様に、図３には図示されていないが、図２や図１からも明らかなようにヨコ糸Ｉにおいてタテ糸ｂ，ｊとの交点が、この二重織物の表側面の組織と裏側面の組織の接結部分であり、この二重織物においては、織物の裏側のタテ糸であるｂ、ｊが表側のヨコ糸Ｉの表側に出て表側面の組織と裏側面の組織を接結している態様の接結部となっている。
【００４６】
また、図４に上記二重織物のタテ方向の断面の端面図をタテ糸ごとに示した。
【００４７】
図４（イ）は、図１、２のタテ糸ａ方向に沿った部分の断面の端面図であり、以下、図４（ロ）〜（チ）は、それぞれ図１、２のそれぞれタテ糸ｂ〜タテ糸ｈ方向に沿った部分の断面の端面図を示している。それぞれの構造の説明は、図１、図２の説明と同様であり、重複するので説明は省略する。尚、接結部について説明すると、前述したように、例えば図４（ロ）においては、タテ糸ｂにおいてヨコ糸Ａ、Ｉとの交点、並びに図４には図示されていないが、図２や図１からわかるようにタテ糸ｊにおいてヨコ糸Ａ、Ｉとの交点が、この二重織物の表側面の組織と裏側面の組織の接結部分であり、この二重織物においては、織物の裏側のタテ糸であるｂ、ｊが表側のヨコ糸Ａ、Ｉの表側に出て表側面の組織と裏側面の組織を接結している態様の接結部となっている。
【００４８】
また、図５は、上記二重織物のヨコ方向の断面の説明用模式図であり、図５（ｘ）が、図３の（イ）、（ハ）、（ホ）、（ト）をあわせて記載した図でありヨコ糸として織物の表側に主として現れるヨコ糸Ａ、Ｃ、Ｅ、Ｇのみをヨコ糸として図示したものであり、図５（ｙ）が、図３の（ロ）、（ニ）、（ヘ）、（チ）をあわせて記載した図でありヨコ糸として織物の裏側に主として現れるヨコ糸Ｂ、Ｄ、Ｆ、Ｈのみをヨコ糸として図示したものである。本来の上記二重織物のヨコ方向の断面としては、図５（ｘ）と図５（ｙ）とをあわせて記載した図になるが、図５（ｘ）と図５（ｙ）とをあわせて記載するとヨコ糸Ａ、Ｂ、Ｃ、Ｄ、Ｅ、Ｆ、Ｇ、Ｈが図面では分かりづらくなるので、織物の表側に主として現れるヨコ糸のみをヨコ糸として描いた図５（ｘ）と織物の裏側に主として現れるヨコ糸のみをヨコ糸として描いた図５（ｙ）とに分けて図示したものである。その構造の説明は、図１、２、３の説明と同様であり、重複するので説明は省略する。接結部のみについて説明するならば、例えば図５（ｘ）において、ヨコ糸Ａにおいてタテ糸ｂ，ｊとの交点が、この二重織物の表側面の組織と裏側面の組織の接結部分であり、この二重織物においては、織物の本来裏側のタテ糸であるｂ、ｊが表側のヨコ糸Ａの更に表側に出て表側面の組織と裏側面の組織を接結している態様の接結部となっている。
【００４９】
また、図６は、上記二重織物のタテ方向の断面の説明用模式図であり、図６（ｘ）が、図４の（イ）、（ハ）、（ホ）、（ト）をあわせて記載した図でありタテ糸として織物の表側のタテ糸ａ、ｃ、ｅ、ｇのみをタテ糸として図示したものであり、図６（ｙ）が、図４の（ロ）、（ニ）、（ヘ）、（チ）をあわせて記載した図でありタテ糸として織物の裏側のタテ糸ｂ、ｄ、ｆ、ｈのみをタテ糸として図示したものである。本来の上記二重織物のタテ方向の断面としては、図６（ｘ）と図６（ｙ）とをあわせて記載した図になるが、図６（ｘ）と図６（ｙ）とをあわせて記載するとタテ糸ａ、ｂ、ｃ、ｄ、ｅ、ｆ、ｇ、ｈが図面では分かりづらくなるので、織物の表側のタテ糸のみをタテ糸として描いた図６（ｘ）と織物の裏側のタテ糸のみをタテ糸として描いた図６（ｙ）とに分けて図示したものである。
【００５０】
その構造の説明は、図１、２、４の説明と同様であり、重複するので説明は省略する。接結部のみについて説明するならば、例えば図６（ｙ）において、タテ糸ｂにおいてヨコ糸Ａ、Ｉとの交点が、この二重織物の表側面の組織と裏側面の組織の接結部分であり、この二重織物においては、織物の本来裏側のタテ糸であるｂが表側のヨコ糸Ａ、Ｉの更に表側に出て表側面の組織と裏側面の組織を接結している態様の接結部となっている。
【００５１】
以上、実施の形態に、織物の表側に主として現れるヨコ糸がポリエステル繊維と綿繊維の混合繊維糸からなり、織物の裏側に主として現れるヨコ糸が疎水性合成繊維糸からなり、タテ糸が疎水性合成繊維糸からなる二重織物の一例を具体的に説明したが、本発明の織物の組織はこの図示したものに限定されるものではなく、織物の表側に主として現れるヨコ糸がポリエステル繊維と綿繊維の混合繊維糸からなり、織物の裏側に主として現れるヨコ糸が疎水性合成繊維糸からなり、タテ糸が疎水性合成繊維糸からなる二重織物又は三重織物であれば、他の組織であってもよい。
【００５２】
そして、かくして得られた二重織物又は三重織物は、加熱水流処理などの通常行われる後処理仕上げ工程などにおいて、織物裏側の方が、表側に比べ、ヨコ方向により多く収縮する。織物の表側に主として現れるヨコ糸がポリエステル繊維と綿繊維の混合繊維糸からなり、織物の裏側に主として現れるヨコ糸が合成繊維糸からなり、表側のヨコ糸の熱による収縮率が、合成繊維１００％の裏側に主として現れるヨコ糸の熱収縮率より綿繊維が入っているので小さくなるからである。従って、収縮の少ない表側はヨコ方向（ヨコ糸の方向）に無理に縮められるので、織物の表側に主としてタテ方向（タテ糸の方向）にほぼ沿った凸条畝が形成されることになる。
【００５３】
図７に、かくして得られた上記実施の形態で説明したおむつ用二重織物の表側から見た平面図を示した。
【００５４】
図７の縦方向がこのおむつ用二重織物のタテ方向、すなわち、タテ糸方向であり、織物の表側に主としてタテ方向に沿った凸条畝１０が形成されている。１１は、織物の表側に主として現れるポリエステル繊維と綿繊維の混紡糸からなるヨコ糸を示している。凸条畝１０の幅は、織組織や用いた繊維の種類によって変わるので、なんら限定するものではないが、この実施の形態で説明したおむつ用二重織物では、凸条畝１０の幅は、１〜３ｍｍ程度、隣接する凸条畝１０間の間隔がおよそ２〜５ｍｍ程度のものが得られた。
【００５５】
次に、図８を引用して本発明のおむつの一実施の形態を説明する。図８は本発明のおむつ用二重織物または三重織物を用いたおむつの一実施の形態の平面図である。図示されている面が、おむつを着用する場合の着用者の肌側になる面である。
【００５６】
広幅の前記本発明のおむつ用二重又は三重織物生地（ａ）２１の表側上に、それより細幅で且つ長さも短い前記本発明のおむつ用二重又は三重織物生地（ｂ）２２の裏側が接するように、また、それぞれの生地の長手方向がほぼ同方向になるように、且つ生地（ｂ）が、生地（ａ）の面領域内に入るように、また生地（ａ）２１、（ｂ）２２の表側に形成されている主として織物タテ方向に沿った凸条畝１０の向きが、おむつの長さ方向になるように積層固着したおむつである。生地（ａ）２１、（ｂ）２２の固着方法は、通常、生地（ａ）２１、（ｂ）２２を縫着する方法が、通気性、尿吸収性の点から好ましく採用される。しかし、接着剤などで接着する方法でもよい。その場合には、通気性、尿吸収性の点から、網状の接着、多点状の接着、ストライプ状の接着など、非接着部分が残るような接着、ないしは、生地（ｂ）２２の縁部近傍のみとか、縁部近傍と適宜それ以外の部分の部分的な接着とを行うなどの接着が好ましい。
【００５７】
特に限定するものではないが、成人用のおむつの場合、着用者のサイズによっても異なるが、生地（ａ）２１の幅は４０〜６０ｃｍ、長さは１００〜１２０ｃｍ程度が好ましく、生地（ｂ）２２の幅は２５〜３０ｃｍ、長さは６０〜８０ｃｍ程度が好ましい。また、幼児用のおむつの場合は、着用者の年齢、サイズによって異なるので一概に規定できないが、１才未満の幼児用のおむつの場合等の例を示すと生地（ａ）２１の幅は２５〜３０ｃｍ、長さは６０〜８０ｃｍ程度が好ましく、生地（ｂ）２２の幅は１５〜２０ｃｍ、長さは３０〜４０ｃｍ程度が好ましい。
【００５８】
かくして、本発明のおむつは、細幅で且つ長さも短い前記おむつ用二重又は三重織物生地（ｂ）２２で、従来のおむつのお尻背部から股下を通し腹部側に曲げてあてがう布（図９の２０１で示される縦長の布）の主として尿を吸収保持する主要部の役割が発揮され、それより幅の広い前記おむつ用二重又は三重織物生地（ａ）２１がその外側をカバーしているので、臀部と腹部を確実にカバーし、また、太ももの周りにフィットし、漏れをよりしっかりと防止でき、しかも生地（ａ）２１と（ｂ）２２が積層固着された構造を有するので、比較的おむつの交換が容易なおむつを提供できる。なお、生地（ｂ）２２の裏側には生地（ａ）２１が存在するので、生地（ｂ）２２がカバーしている範囲においては、おむつ用二重織物又は三重織物が二重に存在することになり、尿の保水能力は十分なものとなる。吸収された尿は、生地（ｂ）２２の二重織物又は三重織物の裏側面にも、更には、生地（ａ）２１にもかなり移行して保持され、従って生地（ｂ）２２の表側はベタツキ感が軽減され、サラッとした着用感を保つ機能が発揮されると共に、生地（ａ）２１、（ｂ）２２の表側に形成されている主として織物タテ方向に沿った凸条畝１０が存在していることからも、排尿した場合に、ベタツキ感がより軽減され、サラッとした着用感の優れたおむつが提供できる。また、着用者の肌に接する側に主として現れるヨコ糸がポリエステル繊維と綿繊維の混合繊維糸からなｔっているので、合成繊維１００％のおむつに比べて洗濯して繰り返し使用しても臭いが残りにくいと言う利点を有し、また、洗濯して乾燥した場合の静電気の帯電が少なく、肌に触れるときに放電し、極めて不快を及ぼす問題を軽減することができる。そのほか、上記、織物についての実施の形態で説明した機能を有するおむつが提供できる。
【００５９】
【発明の効果】
（１）本発明のおむつ用織物は、織物の表側に主として現れるヨコ糸がポリエステル繊維と綿繊維の混合繊維糸からなり織物の裏側に主として現れるヨコ糸が合成繊維糸からなり、タテ糸も合成繊維糸からなる二重織物又は三重織物となっているので、綿１００％のおむつに比べて、洗濯による強度劣化が少ないし、洗濯後の乾燥時間も短くできる。そして、尿を良好に吸収することができる。また織物の裏側に主として現れるヨコ糸が合成繊維糸からなり、タテ糸も合成繊維糸からなる二重織物又は三重織物となっているので、保水性がよく、排尿した場合に、ベタツキ感が軽減され、サラッとした着用感の優れたおむつ用織物が提供できる。しかも、織物の表側に主としてタテ方向に沿った凸条畝が形成されているので、上記のベタツキ感の軽減効果がより一層発揮されやすいおむつ用として好適な織物が提供できる。
【００６０】
また、合成繊維１００％のおむつに比べて洗濯して乾燥した場合の静電気の帯電が少なく、特に乾燥機から取り出す時や、たたむ時などに放電し、極めて不快な感じを及ぼす問題を軽減することができる。また、洗濯して繰り返し使用しても臭いが残りにくいおむつ用織物を提供できる。
【００６１】
（２）また、前記本発明のおむつ用二重又は三重織物において、織物の表側並びに裏側に主として現れるそれぞれのヨコ糸が、織物の表側並びに裏側にそれぞれのヨコ糸がそれぞれ多く浮いたヨコ朱子織状の組織からなる好ましい態様とすることにより、二重又は三重織物であっても比較的しなやかな風合いを有し、肌触りが良好なおむつ用織物を提供でき好ましい。
【００６２】
（３）また、前記本発明のおむつ用二重又は三重織物において、織物の表側に主として現れるヨコ糸がポリエステル短繊維と綿繊維の混紡糸からなる好ましい態様とすることにより、混紡糸は比較的コストが安い割に、丈夫で、肌触りもよく、おむつ用の表側の素材として好ましいおむつ用織物を提供できる。
【００６３】
（４）また、前記本発明のおむつ用二重又は三重織物において、織物の裏側に主として現れるヨコ糸がポリエステル繊維糸又はナイロン繊維糸から選ばれた合成繊維糸からなり、タテ糸がポリエステル繊維糸又はナイロン繊維糸から選ばれた合成繊維糸からなる好ましい態様とすることにより、これらの合成繊維は、コストが安く、強度も大きく、洗濯後の乾燥時間も短く、排尿した場合に、ベタツキ感も少なく、サラッとした着用感の優れたおむつ用織物が提供でき好ましい。
【００６４】
（５）また、前記本発明のおむつ用二重又は三重織物において、織物の表側面の組織と裏側面の組織が部分的にタテ糸で接結されている好ましい態様とすることにより、織物の表側面の組織と裏側面の組織が部分的に接結されていることにより、二重又は三重織物でありながら風合いを比較的柔らかく保つことができ、しかも二重又は三重織物としての強度を保持でき、おむつ用に好適な素材を提供できる。そしてヨコ糸は、通常、風合いを保つためタテ糸に比べて張力が比較的弱めになっており、タテ糸の方が張力が大きいので、タテ糸を接結に用いる方が、ヨコ糸を接結に用いる場合より、しっかりした接結をすることができ好ましい。（６）また、前記本発明のおむつ用二重又は三重織物において、織物の表側面の組織と裏側面の組織の接結部が、裏側のタテ糸を表側のヨコ糸に接結している接結部からなる好ましい態様とすることにより、裏側のタテ糸を表側のヨコ糸に接結している方が、表側のタテ糸に比べて比較的拘束力が強めに拘束されている裏側のタテ糸を引き上げて接結することになり、引き上げにより当該タテ糸が引き締められ、当該タテ糸に、より張力がかかることになるので、通常、比較的拘束力がゆるめに拘束されている表側のタテ糸を裏側のヨコ糸に接結する場合に比べ、よりしっかりした接結をすることができ好ましい。
【００６５】
（７）また、前記本発明のおむつ用二重又は三重織物において、タテ糸及び／又は織物の裏側に主として現れるヨコ糸がマイクロファイバーからなる糸からなる好ましい態様とすることにより、毛細管現象で保水性がより向上し、排尿した場合に、ベタツキ感が一層軽減され、しかも、二重又は三重織物でありながらより一層柔らかい風合いを発揮でき、おむつとしての着用感が良好な織物とすることができ好ましい。
【００６６】
（８）また、前記本発明のおむつ用二重又は三重織物において、タテ糸がテクスチャード加工糸からなる好ましい態様とすることにより、織物の縦方向（タテ糸方向）に伸縮性を持たせることができ、着用感の良好なおむつとすることができるとともに、織物の縦方向をおむつの長さ方向になるように用いると、おむつを着用した場合に太ももにフィットし漏れが防止しやすくなるとともに、着用した状態で歩きやすいおむつとすることができるおむつ用二重又は三重織物を提供でき好ましい。
【００６７】
（９）また、前記のいずれかに記載の本発明のおむつ用二重又は三重織物を用いた前述した本発明のおむつにおいては、尿の吸収性がよく、しかも、べたつき感が改良され、排尿後においてもサラッとした感じを保持でき、静電気の帯電が少なく、洗濯後短時間で乾燥でき洗濯による強度低下も少なく、洗濯して繰り返し使用しても臭いが残りにくいおむつを提供できる。また、本発明のおむつは、広幅の前記おむつ用二重又は三重織物生地（ａ）の表側上に、それより細幅で且つ長さも短い前記おむつ用二重又は三重織物生地（ｂ）の裏側が接するように、また、それぞれの生地の長手方向がほぼ同方向になるように、且つ生地（ｂ）が、生地（ａ）の面領域内に入るように積層固着された構造を有するので、細幅で且つ長さも短い前記おむつ用二重又は三重織物生地（ｂ）とその裏をカバーする生地（ａ）で、従来のおむつのお尻背部から股下を通し腹部側に曲げてあてがう布の主として尿を吸収保持する主要部の役割が発揮され、それより幅の広い前記おむつ用二重又は三重織物生地（ａ）が生地（ｂ）の周囲の外側をカバーしているので、臀部と腹部を確実にカバーし、また、太ももの周りにフィットし、漏れをよりしっかりと防止でき、しかも生地（ａ）と（ｂ）が積層固着された構造を有するので、比較的おむつの交換が容易なおむつを提供できる。
【００６８】
（１０）また、前記本発明のおむつにおいて、生地（ａ）、（ｂ）の表側に形成されている主として織物タテ方向に沿った凸条畝の向きが、おむつの長さ方向になるように配置されている好ましい態様とすることにより、おむつが太ももの周りにフィットし、漏れをよりしっかりと防止でき好ましい。特に織物の縦方向（タテ糸方向）に伸縮性を持たせた場合に、おむつを着用した場合に太ももにフィットし漏れが防止しやすくなるとともに、着用した状態で歩きやすいおむつとすることができ好ましい。
【図面の簡単な説明】
【図１】本発明のおむつ用二重織物の一実施の形態の織組織を示す組織図。
【図２】図１の組織図をタテ糸、ヨコ糸の浮き沈みがより容易に目視できるように描いた組織図。
【図３】図１、図２の二重織物のヨコ方向の断面の端面図を各ヨコ糸ごとに示した図。
【図４】図１、図２の二重織物のタテ方向の断面の端面図を各タテ糸ごとに示した図。
【図５】図１、図２の二重織物のヨコ方向の断面の説明用模式図。
【図６】図１、図２の二重織物のタテ方向の断面の説明用模式図。
【図７】本発明の一実施の形態のおむつ用二重織物の表側から見た平面図。
【図８】本発明のおむつ用二重織物または三重織物を用いたおむつの一実施の形態の平面図。
【図９】従来の、綿布、あるいは合成繊維糸の布からなるおむつを使用する場合の着用直前のおむつ用の布のセット状態の平面図。
【符号の説明】
１　　　　１繰り返し単位を示す矢印
２　　　　１繰り返し単位を示す矢印
Ａ〜Ｒ　　ヨコ糸
ａ〜ｒ　　タテ糸
１０　　　凸条畝
１１　　　織物の表側に主として現れるポリエステル繊維と綿繊維の混紡糸からなるヨコ糸
２１　　　広幅のおむつ用二重又は三重織物生地（ａ）
２２　　　生地（ａ）より細幅で且つ長さも短いおむつ用二重又は三重織物生地（ｂ）
２０１　　縦長の布
２０２　　横長の布
【図１】
2004084129.tif 000003
【図２】
2004084129.tif 000004
【図３】
2004084129.tif 000005
【図４】
2004084129.tif 000006
【図５】
2004084129.tif 000007
【図６】
2004084129.tif 000008
【図７】
2004084129.tif 000009
【図８】
2004084129.tif 000010
【図９】
2004084129.tif 000011